【手続補正書】
【提出日】平成20年4月28日(2008.4.28)
【手続補正１】
【補正対象書類名】特許請求の範囲
【補正対象項目名】全文
【補正方法】変更
【補正の内容】
【特許請求の範囲】
【請求項１】
少なくとも親水性オレフィンコポリマーを含む第１の層、および
第１の層に直接接する第２の層を含み、前記第２の層は、少なくともポリオレフィンと酸無水物変性ポリオレフィンとのブレンドを含むことを特徴とする多層構造。
【請求項２】
前記第２の層の反対側で第１の層に直接接する第３の層をさらに含み、前記第３の層は、ポリオレフィンと酸無水物変性ポリオレフィンとのブレンドを含むことを特徴とする請求項１に記載の多層構造。
【請求項３】
第１の層はコア層を含み、第２の層および第３の層は、該コア層に直接接する内部スキン層および外部スキン層を含むことを特徴とする請求項２に記載の多層構造。
【請求項４】
コア層とスキン層の間に接着層またはつなぎ層がない構造であることを特徴とする請求項３に記載の多層構造。
【請求項５】
第１の層はエチレンビニルアルコールを含むコア層を含み、第２の層および第３の層は、該コア層に直接接する内部スキン層および外部スキン層を含み、それぞれのスキン層は、ポリプロピレンとマレイン酸変性ポリプロピレンとのブレンドを含むことを特徴とする請求項４に記載の多層構造。
【請求項６】
ポリオレフィンは、ポリプロピレンであることを特徴とする請求項１に記載の多層構造。
【請求項７】
酸無水物変性ポリオレフィンは、マレイン酸変性ポリプロピレンであることを特徴とする請求項１に記載の多層構造。
【請求項８】
親水性オレフィンコポリマーは、オレフィンと、ビニルアルコール、（メタ）アクリル酸、（メタ）アクリルアミド、アリルアルコール、ヒドロキシエチル（メタ）アクリレート、およびヒドロキシプロピル（メタ）アクリレートからなる群から選択された１種または複数のモノマーとのコポリマーであることを特徴とする請求項１に記載の多層構造。
【請求項９】
オレフィンは、エチレンであることを特徴とする請求項８に記載の多層構造。
【請求項１０】
親水性オレフィンコポリマーは、エチレンビニルアルコールであることを特徴とする請求項９に記載の多層構造。
【請求項１１】
ポリオレフィンは第２の層中に第２の層の全重量を基準として約９０〜約９８重量パーセント存在し、酸無水物変性ポリオレフィンは、第２の層中に第２の層の全重量を基準として約２〜約１０重量パーセント存在することを特徴とする請求項１に記載の多層構造。
【請求項１２】
底壁、上縁、および底壁と上縁の間の側壁を含む多層容器であって、
少なくとも該側壁は、ポリオレフィンと酸無水物変性ポリオレフィンとのブレンドを含む内部ポリマースキン層および外部ポリマースキン層を含み、該内部ポリマースキン層と該外部ポリマースキン層の間に直接接して位置している親水性オレフィンコポリマーを含むポリマーコア層を有することを特徴とする多層容器。
【請求項１３】
前記底壁、前記上縁、および前記側壁にはコア層とスキン層の間に接着層またはつなぎ層がないことを特徴とする請求項１２に記載の多層容器。
【請求項１４】
ポリオレフィンは、ポリプロピレンであることを特徴とする請求項１２に記載の多層容器。
【請求項１５】
酸無水物変性ポリオレフィンは、マレイン酸変性ポリプロピレンであることを特徴とする請求項１２に記載の多層容器。
【請求項１６】
親水性オレフィンコポリマーは、オレフィンと、ビニルアルコール、（メタ）アクリル酸、（メタ）アクリルアミド、アリルアルコール、ヒドロキシエチル（メタ）アクリレート、およびヒドロキシプロピル（メタ）アクリレートからなる群から選択された１種または複数のモノマーとのコポリマーであることを特徴とする請求項１２に記載の多層容器。
【請求項１７】
オレフィンは、エチレンであることを特徴とする請求項１６に記載の多層容器。
【請求項１８】
親水性オレフィンコポリマーは、エチレンビニルアルコールであることを特徴とする請求項１７に記載の多層容器。
【請求項１９】
ポリオレフィンはそれぞれのスキン層中に該スキン層の全重量を基準として約９０〜約９８重量パーセント存在し、酸無水物変性ポリオレフィンは、それぞれのスキン層中に該スキン層の全重量を基準として約２〜約１０重量パーセント存在することを特徴とする請求項１２に記載の多層容器。
【請求項２０】
コア層はエチレンビニルアルコールを含み、それぞれの内部スキン層および外部スキン層は、ポリプロピレンとマレイン酸変性ポリプロピレンとのブレンドを含むことを特徴とする請求項１２に記載の多層容器。
【請求項２１】
容器は、共射出プロセスにより形成されることを特徴とする請求項１２に記載の多層容器。
【請求項２２】
側壁および底壁は、ポリオレフィンと酸無水物変性ポリオレフィンとのブレンドを含む内部ポリマースキン層および外部ポリマースキン層を含み、該内部ポリマースキン層と該外部ポリマースキン層の間に直接接して位置している親水性オレフィンコポリマーを含むポリマーコア層を有することを特徴とする請求項１２に記載の多層容器。
【請求項２３】
コア層は、底壁と側壁両方の全面に実質的に連続した被覆域を示すことを特徴とする請求項１２に記載の多層容器。
【請求項２４】
コア層は、スキン層によって封入されていることを特徴とする請求項２３に記載の多層容器。
【請求項２５】
コア層は、底壁および側壁内で栓によって接するように設計されている容器の領域までの全面にわたる実質的に連続した被覆域を示すことを特徴とする請求項１２に記載の多層容器。
【請求項２６】
容器は、管であることを特徴とする請求項１２に記載の多層容器。
【請求項２７】
管は、エラストマー領域を有するキャップをさらに含むことを特徴とする請求項２６に記載の多層容器。
【請求項２８】
管は、真空採血管であることを特徴とする請求項２７に記載の多層容器。
【請求項２９】
親水性コポリマー層をポリオレフィン層と共射出プロセスで結合する方法であって、ポリオレフィン樹脂を酸無水物変性ポリオレフィン樹脂とブレンドし、該ブレンド樹脂を親水性オレフィンコポリマー樹脂と共射出プロセスにより共射出することを特徴とする方法。
【請求項３０】
親水性オレフィンコポリマーは、オレフィンと、ビニルアルコール、（メタ）アクリル酸、（メタ）アクリルアミド、アリルアルコール、ヒドロキシエチル（メタ）アクリレート、およびヒドロキシプロピル（メタ）アクリレートからなる群から選択された１種または複数のモノマーとのコポリマーであることを特徴とする請求項２９に記載の方法。
【請求項３１】
オレフィンは、エチレンであることを特徴とする請求項３０に記載の方法。
【請求項３２】
親水性オレフィンコポリマーは、エチレンビニルアルコールであることを特徴とする請求項２９に記載の方法。
【請求項３３】
ポリオレフィンは、ポリプロピレンであることを特徴とする請求項２９に記載の方法。
【請求項３４】
酸無水物変性ポリオレフィンは、マレイン酸変性ポリプロピレンであることを特徴とする請求項２９に記載の方法。
【請求項３５】
底壁、上縁、および底壁と上縁の間の側壁を有する多層容器を製造する方法であって、親水性オレフィンコポリマーを含む第１の溶融ポリマー材料を供給するステップと、
ポリオレフィンと酸無水物変性ポリオレフィンとのブレンドを含む第２の溶融ポリマー材料を供給するステップと、
該第１および第２の溶融ポリマー材料を、ノズル部を通して、容器の底壁を一体で形成する領域を含む金型キャビティ内へ送るステップとを含み、該第１の溶融ポリマー材料および該第２の溶融ポリマー材料は、この製造プロセスの少なくとも一部で金型キャビティ内を共流することを特徴とする方法。
【請求項３６】
内部スキン層および外部スキン層は、コア層に直接接していることを特徴とする請求項３５に記載の方法。
【請求項３７】
親水性オレフィンコポリマーは、オレフィンと、ビニルアルコール、（メタ）アクリル酸、（メタ）アクリルアミド、アリルアルコール、ヒドロキシエチル（メタ）アクリレート、およびヒドロキシプロピル（メタ）アクリレートからなる群から選択された１種または複数のモノマーとのコポリマーであることを特徴とする請求項３５に記載の方法。
【請求項３８】
オレフィンは、エチレンであることを特徴とする請求項３７に記載の方法。
【請求項３９】
親水性オレフィンコポリマーは、エチレンビニルアルコールであることを特徴とする請求項３８に記載の方法。
【請求項４０】
ポリオレフィンは、ポリプロピレンであることを特徴とする請求項３５に記載の方法。
【請求項４１】
酸無水物変性ポリオレフィンは、マレイン酸変性ポリプロピレンであることを特徴とする請求項３５に記載の方法。
【手続補正２】
【補正対象書類名】明細書
【補正対象項目名】００２４
【補正方法】変更
【補正の内容】
【００２４】
第１の層に有用な親水性オレフィンコポリマーは、オレフィンと、ビニルアルコール、（メタ）アクリル酸、（メタ）アクリルアミド、アリルアルコール、ヒドロキシエチル（メタ）アクリレート、およびヒドロキシプロピル（メタ）アクリレートから選択される１種または複数のモノマーとのコポリマーであってもよい。望ましくは、オレフィンはエチレンであり、より望ましくは、親水性オレフィンコポリマーはエチレンビニルアルコールコポリマー（ＥＶＯＨ）である。ＥＶＯＨポリマーは、望ましくは約２７〜４８％のビニルアルコールを含み、含量がこの範囲内のポリマーは市販されている。
【手続補正３】
【補正対象書類名】明細書
【補正対象項目名】００４１
【補正方法】変更
【補正の内容】
【００４１】
検体採取分野での使用については、記載されている実施形態の容器は、一般に、追加の加工ステップを経ることが必要である。たとえば、血液または尿の分析に有用な添加剤、たとえば、凝血促進剤または抗凝血剤を管の中に入れることが多い。当技術分野で知られているように、血液の分析は、血清で行われることが多く、凝固速度を上げるために凝血促進剤が一般的に用いられる。こうした凝血促進剤としては、シリカ粒子またはエラグ酸（ｅｌｌａｇｉｃ  ａｃｉｄ）、フィブリノーゲン、およびトロンビンなどの酵素凝固活性化剤が含まれる。血漿の分析が所望される場合は、遠心分離によって血液細胞が分離できるように、一般に抗凝血剤を用いて凝固を防止する。こうした抗凝血剤としては、シュウ酸塩、クエン酸塩、およびＥＤＴＡなどのキレート化剤ならびにヘパリンなどの酵素が含まれる。